(57)【要約】【課題】  実弾射撃を行うことなく薬莢の抽筒と蹴出や弾薬の装填の確認ができる自動装填式銃の動作確認装置を提供する。【解決手段】  支持台に自動小銃１を保持可能な保持部材を設ける。保持部材の支持板上にロッドレスシリンダ４を設ける。ロッドレスシリンダ４のピストン１２に係合部材５を設け自動小銃１のスライド遊底部１８の槓桿２１に係合する。ロッドレスシリンダ４には、操作装置６を介して空圧源３３を接続する。操作装置６の後退用押ボタン５０を押すことで切換弁４１が後退切換位置Ｂに切換り、圧空がロッドレスシリンダ４に供給されてピストン１２が後退することでスライダ遊底部１８が後退し、スライダ遊底部１８が薬莢２０を抽筒し蹴出する。このようにロッドレスシリンダ４によりスライダ遊底部１８を後復座するので実弾射撃することなく確認を行える。【選択図】  図３
2010223872.tif 000002
【特許請求の範囲】
【請求項１】
弾丸を発射させるガス圧によって作動する作動機構のスライド遊底部により薬莢の抽筒と蹴出や弾薬の装填を行うようにした自動装填式銃を保持可能な保持部材と、前記スライド遊底部に係合する係合部材と、係合部材を前後方向に往復移動させる往復駆動装置とを備え、往復駆動装置によってスライド遊底部を往復移動させて薬莢の抽筒と蹴出や弾薬の送弾から装填までを模擬するようにしたことを特徴とする自動装填式銃の動作確認装置。
【請求項２】
往復駆動装置によるスライド遊底部の往復移動速度を、発射された弾丸のガス圧によって作動するスライド遊底部の移動速度と近似となるように調整可能な速度調整器を備えたことを特徴とする請求項１記載の自動装填式銃の動作確認装置。
【請求項３】
係合部材は、スライド遊底部を手動により往復移動操作可能な槓桿に係合可能にしてあることを特徴とする請求項１または２記載の自動装填式銃の動作確認装置。
【請求項４】
往復駆動装置はピストンを備えた空気圧シリンダであり、空気圧シリンダを速度調整器としての流量調整弁を介して空圧源に接続し、ピストンに係合部材を設けて、圧空によるピストンの移動によりスライド遊底部を往復移動させるように構成したことを特徴とする請求項２または３記載の自動装填式銃の動作確認装置。
【発明の詳細な説明】
【技術分野】
【０００１】
本発明は、弾丸発射時のガス圧によって作動する作動機構により薬莢の抽筒と蹴出や弾薬の送弾から装填までを模擬するように構成された自動装填式銃の動作確認装置に関するものである。
【背景技術】
【０００２】
ガス圧作動による自動装填式の小火器の作動は、例えば特許文献１、特許文献２に記載のように弾丸発射時の発射ガスを銃身からシリンダ内に導き、シリンダ内のガスピストンや作動棒を後退させて、ガスピストンや作動棒の後退によりスライド遊底部を後退させ、スライド遊底部が復座ばねを圧しつつ所定の位置まで後退即ち後座し、その後復座ばねのばね力で前進即ち復座するようになっている。このスライド遊底部の後復座により、スライド遊底部の抽筒子によって薬莢の抽筒と蹴出や弾薬の装填が行われる。このような自動装填式の小火器では、薬莢の抽筒と蹴出や弾薬の装填が確実に行われる必要がある。特に連射機能を有する小火器、例えば自動装填式銃である自動小銃では、弾薬の装填や薬莢の抽筒と蹴出が確実に行わられなければ連射ができず、自動小銃としての機能が果たされない。そのため、薬莢の抽筒と蹴出や弾薬の装填が確実になされるか確認試験が行われるが、この確認試験は実弾射撃によって行われていた。
【先行技術文献】
【特許文献】
【０００３】
【特許文献１】特公平４−７８９１８号公報
【特許文献２】特開昭５６−４４５９７号公報
【発明の概要】
【発明が解決しようとする課題】
【０００４】
前記従来の自動装填式銃での薬莢の抽筒と蹴出や弾薬の装填の確認試験は実弾射撃によるものなので、射場で行う必要があり確認試験を行う場所が制約される問題や、実弾射撃や弾薬の使用は許可された人物しかできない為、試験人員が制約される問題があった。また、実弾射撃を行うので残渣（不燃薬（燃えなかった火薬）など）の拡散や高温の薬莢が蹴出される等するので、安全のため薬莢の抽筒と蹴出や弾薬の装填を自動装填式銃の近くで確認することはできず、ビデオ等の画像で確認するしかない問題があり、更に、自動装填式銃で実弾射撃をするためにその射撃反動に耐えられるように銃を固定するための頑丈で重い架台等の大掛かりな器材が必要となる問題があった。また、実弾射撃により確認試験を行うので、射撃する毎に弾薬を消費するために費用が掛ると共に、銃の部品の寸法や形状の変更、遊底部の後退や前進の速度を換えたりする等の試験条件を変えて簡単に試験することができなかったり、試験日程の計画や器材の設置等により試験準備がかかる問題があった。
そこで本発明の課題は、上記問題点を解決するもので、実弾射撃を行うことなく弾薬の装填や薬莢の抽筒、蹴出の確認ができる自動装填式銃の動作確認装置を提供することを目的とする。
【課題を解決するための手段】
【０００５】
本発明は、弾丸を発射させるガス圧によって作動する作動機構のスライド遊底部により薬莢の抽筒と蹴出や弾薬の装填を行うようにした自動装填式銃を保持可能な保持部材と、前記スライド遊底部に係合する係合部材と、係合部材を前後方向に往復移動させる往復駆動装置とを備え、往復駆動装置によってスライド遊底部を往復移動させて薬莢の抽筒と蹴出や弾薬の送弾から装填までを模擬するようにしたことを特徴とする。
【０００６】
往復駆動装置によるスライド遊底部の往復移動速度を、発射された弾丸のガス圧によって作動するスライド遊底部の移動速度と近似となるように調整可能な速度調整器を備えたことを特徴とする。
また、前記係合部材は、スライド遊底部を手動により往復移動操作可能な槓桿に係合可能にしてあることを特徴とする。
また、前記往復駆動装置はピストンを備えた空気圧シリンダであり、空気圧シリンダを速度調整器としての流量調整弁を介して空圧源に接続し、ピストンに係合部材を設けて、圧空によるピストンの移動によりスライド遊底部を往復移動させるように構成したことを特徴とする。
【発明の効果】
【０００７】
本発明は、弾丸を発射させるガス圧によって作動する作動機構のスライド遊底部により薬莢の抽筒と蹴出や弾薬の装填を行うようにした自動装填式銃を保持可能な保持部材と、前記スライド遊底部に係合する係合部材と、係合部材を前後方向に往復移動させる往復駆動装置とを備え、往復駆動装置によってスライド遊底部を往復移動させて薬莢の抽筒と蹴出や弾薬の送弾から装填までを模擬するようにしたので、実弾射撃を行うことなく薬莢の抽筒と蹴出や弾薬の装填の確認が容易に行える。
それにより、実弾射撃や弾薬の使用が許可された人員が射場で確認試験を行う必要がなくなり、確認試験を行う場所や試験人員が制約されなくなり好ましい。試験場所や試験人員が制約されないことで試験準備がかからず、自動装填式銃の各部品の寸法や形状を変更した場合でも直ぐにその寸法や形状を変更した効果を確認することができる利点がある。また、実弾射撃を行う場合に比べて残渣の飛散等が発生せず安全であり、薬莢の抽筒と蹴出や弾薬の装填を自動装填式銃の近くで確認することができる。また、動作確認装置の構成が簡易なのでコンパクトになる。また、作動確認装置により、自動装填式銃のスライド遊底部を往復動作させるので大きな反動が発生せず、実弾射撃のためのように頑丈で重い架台等の大掛かりな器材が不要となる。また、実際の弾薬を使わずに模擬弾や薬莢を使用するので、模擬弾や薬莢を繰り返し使うことができて、試験費用を削減する効果がある。
【０００８】
往復駆動装置によるスライド遊底部の往復移動速度を、発射された弾丸のガス圧によって作動するスライド遊底部の移動速度と近似させるように調整可能な速度調整器を備えたので、実際に実弾射撃でスライド遊底部を移動させた場合に近似したスライド遊底部の往復移動速度で薬莢の抽筒と蹴出や弾薬の装填を確認することができる。また、確認試験を行う様々な自動装填式銃のスライド遊底部の往復移動速度を弾丸発射時のガス圧によるスライド遊底部移動速度と近似させること、即ち、自動装填式銃に対応して確認試験時の往復駆動装置による係合部材の移動速度を変更できるようになっているので、係合部材の移動速度を変更することでスライド遊底部の移動速度を変更でき、簡単に色々な試験条件での確認が行える利点を有する。
【０００９】
前記係合部材は、スライド遊底部を手動により往復移動操作可能な槓桿に係合可能にしてあるので、自動装填式銃への取付が容易であり、また、係合部材を変更すれば、様々な小火器に対応して確認試験を行うことができる。
【００１０】
また、前記往復駆動装置はピストンを備えた空気圧シリンダであり、空気圧シリンダを速度調整器としての流量調整弁を介して空圧源に接続し、ピストンに係合部材を設けて、圧空によるピストンの移動によりスライド遊底部を往復移動させるように構成したので、空圧源があればどこでも確認試験が可能であり、圧空により空気圧シリンダを動作するのでピストンを瞬間的に高速で移動することができる。
【図面の簡単な説明】
【００１１】
【図１】本発明の自動装填式銃の動作確認装置を示す側面図である。
【図２】図１のII視図である。
【図３】流体圧回路図である。
【発明を実施するための形態】
【００１２】
次に、本願発明の実施の形態について図１〜図３により説明する。図１に示すように、自動装填式小火器である自動装填式銃（いわゆる自動小銃）１の作動確認装置２は、支持台３上に設けられる保持部材２３と往復駆動装置４と、往復駆動装置４に設けられる係合部材５と、操作装置６とから構成されている。支持台３は、枠組みした支持枠７の長手方向両端の上面に夫々支持板８，９を設けて構成されている。この支持板８，９間に往復駆動装置４が横架固定されている。
【００１３】
往復駆動装置４は、周知の空気圧シリンダであり、例えば特開２０００−２４９１０８号公報に開示のロッドレスシリンダと略同様なものである。ここでロッドレスシリンダ４の概要を説明する。シリンダチューブ１０は長手方向全長に渡ってシリンダ孔を有すると共に、その長手方向全長に亘って、スリットが形成してある。シリンダ孔は、その両端がエンドキャップ１１により塞がれると共に、摺動可能に嵌挿されたピストン１２により前、後シリンダ室１３，１４に区画されている。ピストン１２には、スリットを貫通してシリンダチューブ１０の外部に位置する移動体としてのピストンマウント１６が一体に設けられ、ピストン１２にスリットを塞ぐシールバンド１５が通過している。前、後シリンダ室１３，１４に圧流体を給排することで、ピストン１２を通過する部分を除いてシールバンド１５がスリットを塞ぎつつ、ピストン１２と一体にピストンマウント１６が往復移動するようになっている。ピストンマウント１６には、係合部材５が着脱可能にボルトにより螺着されている。係合部材５は、自動小銃１のスライド遊底部１８に係合するようになっている。尚、往復駆動装置４としては、移動体をリニアモータやモータと送りねじで往復移動するアクチュエータや、モータの回転を直線運動に変換する機構等でも良い。
【００１４】
自動小銃１は、弾丸を発射させるガス圧によって作動する図示しない作動機構を有している。作動機構はスライド遊底部１８や復座ばね１９等を備えている。自動小銃１は、前記ガス圧でスライド遊底部１８が後座することで薬莢２０の抽筒と蹴出を行い、復座ばね１９でスライド遊底部１８が復座することで弾薬が装填されるようになっている。このスライド遊底部１８には、スライド遊底部１８を手動により往復移動操作可能な槓桿２１が設けられており、この槓桿２１が、自動小銃１を支持台３に取付けた状態で、前記の係合部材５に形成した係合凹部２２に係合される。
【００１５】
また、支持台３上に設けられる保持部材２３は、自動小銃１を保持可能となっている。保持部材２３は、自動小銃１を左右から固定するための左右固定手段２４と、上下から固定するための上下固定手段２５，２６とを備えている。保持部材２３は、確認試験を行う銃種に応じて交換可能に支持台３に設けられている。左右固定手段２４は、左右対称に構成されており（図２では一方のみ示している）、支持板２７にねじ軸２８を螺合し、ねじ軸２８の一端に回転操作するための操作部材２９と他端に自動小銃１を挟むための挟持部材３０を取付けて構成されている。また、上下固定手段２５は、いわゆるトグルクランプであり、例えば特開平１０−２４９７４１号公報に開示のもののように操作レバー３１を操作することでクランプレバー３２が上下方向に揺動するものであり、クランプレバー３２により自動小銃１をクランプ、アンクランプする。また、上下固定手段２６は、支持板８に挿通され、自動小銃１に螺合する固定用ねじである。
【００１６】
次に、操作装置６について説明する。図３に示すように操作装置６は、空圧源３３に接続され、空圧源３３からの圧空をロッドレスシリンダ４の前進用給排ポート３４または後退用給排ポート３５の一方に供給し、他方を大気に開放する。図３に示すように、フィルタ３６が圧空源３３に接続され、フィルタ３６に圧空を所定の圧力に低下するレギュレータ３７が接続されている。また、レギュレータ３７には、霧状の油を供給するルブリケータ３８が接続されている。ルブリケータ３８から、並列に前進用押ボタン手段３９と後退用押ボタン手段４０と切換弁４１に接続されている。切換弁４１には、ロッドレスシリンダ４の前進用給排ポート３４に接続する流路４２と、ロッドレスシリンダ４の後退用給排ポート３５に接続する流路４３とが接続されている。流路４２の途中には前進側ハンドバルブ４４が接続され、流路４３の途中には後退側ハンドバルブ４５が接続されている。
【００１７】
前進用押ボタン手段３９は押ボタン操作形の切換弁４６と前進用押ボタン４７とから成り、切換弁４６は切換弁４１のパイロット室４８に接続されている。後退用押ボタン手段４０は押ボタン操作形の切換弁４９と後退用押ボタン５０とから成り、切換弁４９は切換弁４１のパイロット室５１に接続されている。前進用押ボタン４７を押圧操作すると切換弁４１のパイロット室４８と空圧源３３とが連通し、パイロット室４８にパイロット圧が供給されて図３に示す一方の前進切換位置Ａに切換弁４１が切換えられる。切換弁４１が前進切換位置Ａに切換えられると、空圧源３３からの圧空がロッドレスシリンダ４の前進用給排ポート３４に供給されると共に後退用給排ポート３５が大気に開放され排気となり、ピストン１２が前進する。また、後退用押ボタン５０を押圧操作すると切換弁４１のパイロット室５１と空圧源３３とが連通し、パイロット室５１にパイロット圧が供給されて他方の後退切換位置Ｂに切換弁４１が切換えられる。切換弁４１が後退切換位置Ｂに切換えられると、空圧源３３からの圧空がロッドレスシリンダ４の後退用給排ポート３５に供給されると共に前進用給排ポート３４が大気に開放され排気となり、ピストン１２が後退する。
【００１８】
前進側ハンドバルブ４４と後退側ハンドバルブ４５は３方弁であり、通常は夫々切換弁４１とロッドレスシリンダ４の前進用給排ポート３４と後退用給排ポート３５とを接続しており、前進側ハンドバルブ４４と後退側ハンドバルブ４５は切換えられることで夫々前進用給排ポート３４と後退用給排ポート３５を排気とし、空圧源３３からの圧空の供給を停止する。操作装置６とロッドレスシリンダ４の前進用給排ポート３４との間と、操作装置６とロッドレスシリンダ４の後退用給排ポート３５の間には、夫々速度調整器としての流量調整弁５２，５３が接続されている。これらの流量調整弁５２，５３を操作することでピストン１２の前後方向移動速度を調整することができ、これによって自動小銃１のスライド遊底部１８の往復移動速度を調整することができるようになっている。
【００１９】
次に、自動小銃１の確認試験について説明する。支持台３に左右固定手段２４と上下固定手段２５，２６とで自動小銃１を固定し、自動小銃１の槓桿２１に係合部材５を係合する。また、ロッドレスシリンダ４のピストン１２の移動速度が、自動小銃１を実弾射撃した時の弾丸のガス圧によって作動するスライド遊底部１８の移動速度と近似となるように、または、所望の移動速度となるように、流量調整弁５２，５３を調整しておく。先ず、薬室５４からの薬莢２０の抽筒と蹴出を確認試験する場合について説明する。後退用押ボタン５０を押圧操作して切換弁４１を他方の後退切換位置Ｂとしてピストン１２と共にスライド遊底部１８を後退させる。
【００２０】
スライド遊底部１８を後退した状態で、手動により薬室５４に薬莢２０のみを装填する。薬莢２０のみを装填するのは、実際の薬莢２０の抽筒と蹴出と同様になるようにするためであり、弾薬を用いた場合には弾丸が付いており長さや重さが異なるため、抽筒と蹴出される動きが、抽筒と蹴出される薬莢２０の動きと異なる動きをするからである。薬莢２０を装填した後、前進用押ボタン４７を押して切換弁４１を前進切換位置Ａとして前進用給排ポート３４に圧空を供給し、後退用給排ポート３５を排気とし、ピストン１２と共にスライド遊底部１８を前進する。
【００２１】
その状態で、後退用押ボタン５０を押すと、切換弁４１が図３の前進切換位置Ａから後退切換位置Ｂに切換り、ロッドレスシリンダ４の前進用給排ポート３４を排気とし、後退用給排ポート３５に圧空が供給され、ピストン１２と共にスライド遊底部１８も後退する。これによって、スライド遊底部１８が薬莢２０を薬室５４から抽筒し、自動小銃１から薬莢２０が蹴出される。ロッドレスシリンダ４には後退用給排ポート３５から圧空が供給されているのでピストン１２はロッドレスシリンダ４の前進用給排ポート３４側に位置された状態となるので、スライド遊底部１８も後退した状態を維持する。再度、薬莢２０の抽筒と蹴出を確認試験する場合には、前記と同様に手動で薬莢２０のみを薬室５４に装填し、前記と同様に各押ボタン４７，５０を押圧操作して確認試験を行う。
【００２２】
次に、弾薬の装填を確認試験する場合について説明する。自動小銃１には、弾薬として模擬弾を収容した弾倉５５を装着しておく。後退用押ボタン５０を押して切換弁４１を後退切換位置Ｂとしてピストン１２を後退することでスライド遊底部１８を後退状態とする。そして前進用押ボタン４７を押すと、切換弁４１が後退切換位置Ｂから前進切換位置Ａに切換り、前進用給排ポート３４に供給された圧空によりピストン１２が前進することでスライド遊底部１８が前進する。このスライド遊底部１８の前進によって、スライド遊底部１８が模擬弾を弾倉５５から薬室５４に装填する。これを繰り返すことで弾薬の装填の確認試験を行う。
【００２３】
確認試験で銃の交換や試験条件を変更するため自動小銃の内部部品を交換したい場合や試験終了の場合等の空圧源３３からの圧空を遮断したい時には、前記の前進側ハンドバルブ４４と後退側ハンドバルブ４５を切換える。これによりロッドレスシリンダ４の前進用給排ポート３４と後退用給排ポート３５を排気状態とし、ロッドレスシリンダ４に圧空が作用しないようになる。この状態では、前進用押ボタン４７や後退用押ボタン５０を操作したとしてもスライド遊底部１８が移動しない。
【００２４】
前記のように流量調整弁５２，５３を操作することでスライダ遊底部１８の前進、後退速度を調整でき、係合部材５や保持部材２３を交換すれば様々な銃種に対応できるので、様々な試験条件で確認試験が行える。また、実際の弾薬を使用せずに、確認試験時にはロッドレスシリンダ４によりスライド遊底部１８を前進、後退するので、場所や人員が制約されず、不燃薬が飛散することもないので安全であり自動小銃１の近くで可動状態を直接確認でき、自動小銃１の設計変更に対しても直ちに確認試験が行える。また、実弾射撃のように大きな反動が発生しないので大掛かりな器材が不要となる。更に、薬莢２０や模擬弾が再利用でき、高価な実際の弾薬を使用する場合に比べて安価に試験が行える。
【符号の説明】
【００２５】
１  自動装填式銃
２  動作確認装置
４  往復駆動装置（空気圧シリンダ）
５  係合部材
１２  ピストン
１８  スライド遊底部
２０  薬莢
２１  槓桿
２３  保持部材
３３  空圧源
５２，５３  速度調整器（流量調整弁）
【図１】
2010223872.tif 000003
【図２】
2010223872.tif 000004
【図３】
2010223872.tif 000005